(57)【要約】【課題】  止水ラインから脱衣室側に漏れた排水を浴室側に導くことができると共に、これを逆流する排水の脱衣室床への流出を有効に防止することができる浴室建具の止水構造およびこれを備えた浴室建具を提供することを課題とする。【解決手段】  建具枠体２の下枠３２と閉塞状態の建具本体３の下框１２との間をシールするシール部材７３を備え、浴室Ａの排水をシール部材７３により止水する浴室建具の止水構造において、下枠３２は、シール部材７３の脱衣室Ｂ側近傍において脱衣室床６と略面一に配設され、シール部材７３から漏れた排水を受けると共に排水孔８６を形成した漏水受けプレート６２と、漏水受けプレート６２と脱衣室床６との間に上向きに突設されると共に弾性材で構成した水返し部材８２と、漏水受けプレート６２の排水孔８６から流下した排水を浴室床５に導く傾斜部６７と、を備えた。【選択図】  図３
2005207079.tif 000002
【特許請求の範囲】
【請求項１】
建具枠体の下枠と閉塞状態の建具本体の下框との間をシールするシール部材を備え、浴室の排水を前記シール部材により止水する浴室建具の止水構造において、
前記下枠は、
前記シール部材の脱衣室側近傍において脱衣室床と略面一に配設され、前記シール部材から漏れた排水を受けると共に排水孔を形成した漏水受けプレートと、
前記漏水受けプレートと脱衣室床との間に上向きに突設されると共に弾性材で構成した水返し部材と、
前記漏水受けプレートの排水孔から流下した排水を浴室床に導く傾斜部と、を備えたことを特徴とする浴室建具の止水構造。
【請求項２】
前記下枠は、前記傾斜部から立ち上がると共に前記シール部材を装着したシール装着部と、前記傾斜部から立ち上がると共に前記水返し部材を装着した水返し装着部と、をさらに備え、
前記シール装着部、前記水返し装着部および前記傾斜部により囲まれた前記漏水受けプレートの下側空間には、浴室からの排水を一時貯留する排水バッファが構成されていることを特徴とする請求項１に記載の浴室建具の止水構造。
【請求項３】
前記漏水受けプレートは、前記シール装着部と前記水返し装着部との間に着脱自在に装着されていることを特徴とする請求項２に記載の浴室建具の止水構造。
【請求項４】
前記シール装着部と前記傾斜部との間隙には、前記排水バッファからの排水を浴室床に導く連通流路が形成され、
前記シール部材には、前記連通流路からの排水の流下を許容すると共に逆流を阻止する逆流阻止片が形成されていることを特徴とする請求項２または３に記載の浴室建具の止水構造。
【請求項５】
建具枠体の下枠と閉塞状態の建具本体の下框との間をシールするシール部材を備え、浴室の排水を前記シール部材により止水する浴室建具の止水構造において、
前記下枠は、
前記シール部材の脱衣室側近傍において配設され、前記シール部材から漏れた排水を受けると共に排水孔を形成した漏水受けプレートと、
前記漏水受けプレートの排水孔から流下した排水を浴室床に導く傾斜部と、
前記漏水受けプレートの脱衣室側に配設され、脱衣室床の端部を押える下枠見切り片と、を備え、
前記漏水受けプレートの上面は、前記下枠見切り片の上面よりわずかに低い位置に配設されていることを特徴とする浴室建具の止水構造。
【請求項６】
前記排水孔からの排水の流下を許容すると共に逆流を阻止する逆流阻止機構を、さらに備えたことを特徴とする請求項１ないし５のいずれかに記載の浴室建具の止水構造。
【請求項７】
前記逆流阻止機構は、前記漏水受けプレートの下側に収容したフロートと、
前記フロートに設けられその浮上時に前記排水孔を閉塞する弁体とで構成されていることを特徴とする請求項６に記載の浴室建具の止水構造。
【請求項８】
請求項１ないし７のいずれかに記載の浴室建具の止水構造を備えたことを特徴とする浴室建具。
【発明の詳細な説明】
【技術分野】
【０００１】
本発明は、浴室の出入口に設けた浴室折戸、浴室ドア、浴室引き戸等の浴室建具の止水構造およびこれを備えた浴室建具に関するものである。
【背景技術】
【０００２】
従来、この種の浴室建具の止水構造として、浴室引き戸に適用したものが知られている。この浴室引き戸は、上吊り形式の３枚の引き戸と、３枚の引き戸を開閉自在に装着した引き戸枠とで構成されている。引き戸枠の下枠は、浴室に向かって下り傾斜の排水経路を形成した下枠本体と、下枠本体の上面に載置した下枠アタッチメントとで構成されており、下枠アタッチメントの上面は脱衣室床と略面一に配設されている。また、下枠アタッチメントには、各引き戸の下框から下垂した案内片が臨む３列のガイド溝が形成され、この各ガイド溝には各案内片に摺接する下枠シール部材が設けられている。すなわち、３枚の引き戸をシールする３つの下枠シール部材により、３枚の引き戸の止水ラインが構成されている。
一方、この止水ラインから脱衣室側に漏れた排水を受けるべく、下枠本体の脱衣室側には、多数の開孔部を形成した水平片が延設されると共に、水平片の下側には排水経路に連なる溝部が形成されている。そして、各開孔部から流下した排水（漏水）は、溝部から排水経路を介して浴室側に導かれるようになっている。また、溝部を構成する浴室側の隔壁には、排水経路に連なる複数の排水孔が形成されており、この排水孔の近傍には逆流防止用の気密材が配設され、排水経路を逆流する排水の溝部への流入を阻止できるようにしている。
【特許文献１】特開平９−１１２１３６号公報
【発明の開示】
【発明が解決しようとする課題】
【０００３】
このような従来の浴室建具の止水構造では、浴室洗い場の多量の排水が、排水経路を逆流して逆流防止用の気密材から漏れると、漏れ量によっては溝部が満水になり水平片の開孔部から溢れることがある。開孔部からいったん溢れた排水は、障害物の無い脱衣室床に流出する問題があった。
もっとも、気密材の止水性を高めれば、気密材からの排水の漏れ量（逆流）を抑えることができる。しかし、気密材の止水性を高めると、溝部側からの排水が流れ難くなり、止水ラインから漏れた排水で溝部が満水になって、脱衣室床に漏水することになる。
【０００４】
本発明は、止水ラインから脱衣室側に漏れた排水を浴室側に導くことができると共に、これを逆流する排水の脱衣室床への流出を有効に防止することができる浴室建具の止水構造およびこれを備えた浴室建具を提供することを課題としている。
【課題を解決するための手段】
【０００５】
本発明の浴室建具の止水構造は、建具枠体の下枠と閉塞状態の建具本体の下框との間をシールするシール部材を備え、浴室の排水をシール部材により止水する浴室建具の止水構造において、下枠は、シール部材の脱衣室側近傍において脱衣室床と略面一に配設され、シール部材から漏れた排水を受けると共に排水孔を形成した漏水受けプレートと、漏水受けプレートと脱衣室床との間に上向きに突設されると共に弾性材で構成した水返し部材と、漏水受けプレートの排水孔から流下した排水を浴室床に導く傾斜部と、を備えたことを特徴とする。
【０００６】
この構成によれば、止水ラインを構成するシール部材から脱衣室側に漏れた排水は、漏水受けプレート上に流れ、その排水孔から漏水受けプレートの下側に流下すると共に傾斜部上を浴室床に向かって流れる。一方、逆の経路で浴室の排水が逆流すると、逆流した排水は漏水受けプレートで押えられ、排水孔から溢れることがあっても、水返し部材により脱衣室床への漏水を阻止される。浴室の排水は、排水トラップで呑みきれない場合に洗い場から下枠に流れるが、時間の経過と共に減水してゆく。このため、排水孔から溢れて漏水受けプレート上に溜まった排水も、時間の経過と共に排水孔から浴室に導かれるため、脱衣室床への漏水を有効に防止することができる。
一方、漏水受けプレート上の排水を堰止める水返し部材は、上向きに突設されているものの弾性材で構成されているため、人がつまずくことは元より、足着性が悪化することがない。
なお、シール部材は、下枠に取り付けられ下框に密接するもの、および下框に取り付けられ下枠に密接するもののいずれでもよく、また、それらの双方を備えた構成であってもよい。
【０００７】
この場合、下枠は、傾斜部から立ち上がると共にシール部材を装着したシール装着部と、傾斜部から立ち上がると共に水返し部材を装着した水返し装着部と、をさらに備え、シール装着部、水返し装着部および傾斜部により囲まれた漏水受けプレートの下側空間には、浴室からの排水を一時貯留する排水バッファが構成されていることが、好ましい。
【０００８】
この構成によれば、浴室から逆流する排水は排水バッファに一時貯留されるため、排水が漏水受けプレートの排水孔から溢れるのを抑制することができると共に、浴室側の減水状態が開始されるまでのタイムラグをかせぐことができる。
【０００９】
この場合、漏水受けプレートは、シール装着部と水返し装着部との間に着脱自在に装着されていることが、好ましい。
【００１０】
この構成によれば、漏水受けプレートを取り外すことにより、排水バッファ内を清掃することができる。
【００１１】
これら場合、シール装着部と傾斜部との間隙には、排水バッファからの排水を浴室床に導く連通流路が形成され、シール部材には、連通流路からの排水の流下を許容すると共に逆流を阻止する逆流阻止片が形成されていることが好ましい。
【００１２】
この構成によれば、浴室から流れてくる排水の逆流を有効に阻止することができると共に、逆流が収まった後、排水バッファからの排水を浴室に適切に導くことができる。また、シール部材に逆流阻止の機能を持たせることで、部品点数および組付け工数の削減を達成することができる。
【００１３】
本発明の他の浴室建具の止水構造は、建具枠体の下枠と閉塞状態の建具本体の下框との間をシールするシール部材を備え、浴室の排水をシール部材により止水する浴室建具の止水構造において、下枠は、シール部材の脱衣室側近傍において配設され、シール部材から漏れた排水を受けると共に排水孔を形成した漏水受けプレートと、漏水受けプレートの排水孔から流下した排水を浴室床に導く傾斜部と、漏水受けプレートの脱衣室側に配設され、脱衣室床の端部を押える下枠見切り片と、を備え、漏水受けプレートの上面は、下枠見切り片の上面よりわずかに低い位置に配設されていることを特徴とする。
【００１４】
この構成によれば、下枠見切り片の上面が漏水受けプレートの上面よりも高い位置にあるため、漏水受けプレートの脱衣室側端部上面と下枠見切り片の浴室側端部上面とを高さ方向に結ぶ部位が、下シール部材から漏水受けプレートに侵入した排水の脱衣室床への漏水を防止する堰きとして機能する。したがって、上述の浴室建具の止水構造と同様に、止水ラインから脱衣室側に漏れた排水を浴室側に導くことができると共に、これを逆流する排水の脱衣室床への流出を有効に防止することができる。
【００１５】
これらの場合、排水孔からの排水の流下を許容すると共に逆流を阻止する逆流阻止機構を、さらに備えたことが、好ましい。
【００１６】
この構成によれば、逆流した排水が漏水受けプレートの排水孔から溢れるのを、阻止することができる。なお、逆流阻止機構としては、例えば、漏水受けプレートの裏面に配設したシート状の逆止弁等を用いることができる。すなわち、この逆止弁は、一部を漏水受けプレート裏面の排水孔形成縁部に装着したシート状の弁体と上記排水孔形成縁部を弁座とするものである。
【００１７】
この場合、逆流阻止機構は、漏水受けプレートの下側に収容したフロートと、フロートに設けられその浮上時に排水孔を閉塞する弁体とで構成されていることが、好ましい。
【００１８】
この構成によれば、逆流による排水が排水バッファに溜まり水位が上昇すると、フロートが浮上して弁体が排水孔を閉塞する。逆に排水バッファの水位が下降すると、フロートが沈下して弁体が排水孔を開放する。すなわち、逆流した排水が漏水受けプレートの排水孔から溢れるのを阻止することができると共に、漏水受けプレート上の排水を、排水孔を介して排水バッファに円滑に流下させることができる。なお、弁体は、フロートの上面の一部で構成してもよいし、フロートと別体のもので構成してもよい。
【００１９】
本発明の浴室建具は、上記した浴室建具の止水構造を備えたことを特徴とする。
【００２０】
この構成によれば、脱衣室側への浴室排水の漏水を有効に防止することが可能な浴室建具を提供することができる。
【発明の効果】
【００２１】
以上のように本発明の浴室建具の止水構造および浴室建具によれば、シール部材により構成される止水ラインから脱衣室側に漏れた排水を、浴室側に円滑に導くことができると共に、これを逆流する浴室の排水の脱衣室床への流出を有効に防止することができる。したがって、止水性に関し浴室建具の信頼性を向上させることができる。
【発明を実施するための最良の形態】
【００２２】
以下、添付の図面を参照して、本発明の一実施形態に係る建具浴室建具の止水構造を浴室建具に適用した場合について説明する。この浴室は、脱衣室との間にほとんど段差の無いバリアフリー設計となっており、ユニットバスで構成した浴室と脱衣室との間の出入口に、浴室建具として浴室折戸が取り付けられている。図１は、浴室折戸の縦断面図であり、図２はその横断面図である。両図に示すように、浴室折戸１は、出入口開口部を構成する折戸枠２（建具枠体）と、折戸枠２に開閉自在に支持された扉体３（建具本体）とで構成されている。また、ユニットバスの防水パン５により構成される浴室床と、折戸枠２の下枠３２と、脱衣室Ｂの脱衣室床６とはほぼ面一であり、ほぼ段部が生じないように配設されている。
【００２３】
扉体３は、左扉体３ａと、右扉体３ｂと、これらを突き合わせた状態で中折れ自在に連結する連結部材４とで構成されており、左扉体３ａの戸尻側を中心に右扉体３ｂを折戸枠２に沿ってスライドさせながら浴室Ａ内に折り込むことで開放され、また逆の手順で閉塞される。
【００２４】
左右の各扉体３ａ，３ｂは、それぞれアルミニウムの形材等で構成した上框１１，下框１２および中桟１３に、縦框１４および連結縦框１５を框組みすると共に、これに樹脂製の上下のパネル体１６を組み込んで構成されている。中桟１３には、脱衣室Ｂ側に引手部１８が一体に形成され、浴室Ａ側の右扉体３ｂには引手を兼ねるタオル掛け１９が取り付けられている。左扉体３ａの連結縦框１５にはラッチ機構２０が組み込まれ、また右扉体３ｂの連結縦框１５には閉塞ロック機構２１（チャイルドロック兼用）が組み込まれている。また、各扉体３ａ，３ｂの縦框１４には、後述する上スライダ２４ａを上ガイドレール３６から離脱させる離脱機構２２（緊急着脱機構）がそれぞれ組み込まれている。
【００２５】
さらに、各扉体３ａ，３ｂの縦框１４には、下側をグラビティヒンジとした上下のピンヒンジ２３ａ，２３ｂを介して上スライダ２４ａおよび下スライダ２４ｂがそれぞれ取り付けられ、各扉体３ａ，３ｂは、この上スライダ２４ａおよび下スライダ２４ｂにより、後述する折戸枠２の上ガイドレール３６および下ガイドレール７１に、それぞれスライド自在に支持されている。ただし、片側を開放するために、左扉体３ａの上下両スライダ２４ａ，２４ｂは、上下両ガイドレール３６，７１に固定されている。すなわち、左扉体３ａは、その開閉に際し、上下のピンヒンジ２３ａ，２３ｂを介して回動する。このため、左扉体３ａは、開放の初期動作において、徐々に上昇しながら開放され、また閉塞の終期動作において、徐々に下降しながら閉塞される。
【００２６】
一方、折戸枠２は、それぞれアルミニウムの形材等で構成した上枠３１、下枠３２および左右の両縦枠３３，３３を枠組みして成り、防水パン５に対し水密に接合されている。上枠３１は、横「Ｌ」字状の鉛直部位３５ａと鉛直部位３５ａの下端から脱衣室Ｂ側に水平に延びる水平部位３５ｂとから成る断面逆「コ」字状の上枠本体３５と、水平部位３５ｂの見込み方向中間位置に下向きに突設した上ガイドレール３６と、水平部位３５ｂの脱衣室Ｂ側の端部を水平に延設した上枠見切り片３７と、水平部位３５ｂの脱衣室Ｂ側の端部から下方に延びる上シール装着部３８とで、一体に形成されている。そして、上シール装着部３８には、各上框１１に密接する上枠シール部材３９が装着されている。
【００２７】
同様に、各縦枠３３は、見込み方向に長い方形の中空部を有する縦枠本体４０と、縦枠本体４０の脱衣室Ｂ側の端部を見込み方向に延設した縦枠見切り片４１と、縦枠見切り片４１の基部から内側に延びる縦シール装着部４２とで、一体に形成されている。そして、各縦シール装着部４２には、各縦框１４に密接する縦枠シール部材４３が装着されている。
【００２８】
続いて、図３の拡大図を参照して、下枠３２と下框１２との間の止水構造について詳細に説明する。下框１２の下端には、浴室Ａ側に位置して下ガイドレール７１に密接する下向きシール部材５６が設けられている。また、下框１２の脱衣室Ｂ側は、後述する下枠シール部材７３が密接する突出片５７が断面クランク上に形成されている。すなわち、各扉体３ａ，３ｂを閉塞すると、下向きシール部材５６が下ガイドレール７１の浴室Ａ側に密接し、これにより浴室Ａ側の止水（１次止水ライン）ラインが構成され、また、後述する下枠シール部材７３が突出片５７に密接し、これにより主止水ラインとしての脱衣室Ｂ側の止水ライン（２次止水ライン）が構成されている。
【００２９】
一方、下枠３２は、脱衣室Ｂ側に「Ｌ」字状に延びる防水パン５の支持部５ａに載置されると共に脱衣室床６との間に架け渡した下枠本体６１と、下枠本体６１の脱衣室Ｂ側上面に着座し、その上面を脱衣室床６と略面一に配設した漏水受けプレート６２と、で構成されている。
【００３０】
下枠本体６１は、防水パン５の支持部５ａに載置された縦長の下枠中空部６６と、下枠中空部６６の上端部を脱衣室床６の端部位置まで延長した傾斜部６７と、後述する水返し装着部８１の上端部から脱衣室Ｂ側へ延びて脱衣室床６を押える下枠見切り片６８と、で一体に形成されている。なお、下枠中空部６６の浴室Ａ側上端部と防水パン５との間には、コーキング材等によりシールが為されている。
【００３１】
傾斜部６７（および下枠中空部６６）は、その上面が防水パン５の浴室床に向かってわずかに下り傾斜となるように形成されており、傾斜部６７の浴室Ａ側上面には、上記の下スライダ２４ｂにより各扉体３ａ，３ｂをスライド自在に支持する下ガイドレール７１が形成されている。また、下ガイドレール７１には、見付け方向の両端部において、排水の流下を許容できる最低限の開口面積を有するよう、その一部を切り欠いた一対の切欠部（図示省略）が形成されている。なお、一対の切欠部に代えて、下ガイドレール７１の基部に一対の連通開口を形成してもよい。
【００３２】
また、傾斜部６７の見込み方向中間部には、逆「Ｃ」字状断面のシール装着溝７２ａを有する下シール装着部７２が、傾斜部６７から立ち上がるように形成されている。この下シール装着部７２には、各扉体３ａ，３ｂの突出片５７に向かって突設された上下逆「Ｊ」字状断面の下枠シール部材７３が装着されている。下枠シール部材７３は、エアータイト材で構成されており、シール装着溝７２ａに直接係止する凸部７３ａと、凸部７３ａから浴室Ａ側へ上向きに延び、各扉体３ａ，３ｂの閉塞状態において突出片５７に密接する上シール片７３ｂと、凸部７３から浴室Ａ側へ下向きに延び、傾斜部６７の上面と密接する逆流阻止片７３ｃと、で一体に形成されている。さらに、下シール装着部７２の背面には、脱衣室Ｂ側に漏水受けプレート６２を支持する支持片７２ｂが突設されていると共に、その基部には、見付け方向の両端部において排水開口７８（連通流路）が形成されている。この排水開口７８は、後述する排水バッファ９１からの排水を浴室Ａ側へ導く部位であって、下シール装着部７２の一部を極わずかに切り欠いて形成されており、排水の流下を許容できる最低限の開口面積を有している。
【００３３】
したがって、下枠シール部材７３は、上述したように、上シール片７３ｂにより、２次止水ラインを構成すると共に、逆流阻止片７３ｃにより、浴室から流れてくる排水の逆流を有効に阻止し、且つ、逆流が収まった後、排水バッファ９１からの排水の流下を許容してから浴室に適切に導く。このように、下枠シール部材７３に逆流阻止の機能を持たせることで、部品点数および組付け工数の削減を達成することができる。
【００３４】
下枠見切り片６８は、下枠３２において脱衣室床６にビス止め固定される部位であって、下枠見切り片６８と傾斜部６７との間には、傾斜部６７から立ち上がる水返し装着部８１が介設されており、水返し装着部８１には、上向き「Ｃ」字状断面の水返し装着溝８１ａが形成されている。そして、水返し装着溝８１ａには、上下逆「Ｊ」字状断面の弾性を有する樹脂等で構成した水返し部材８２が上向きに装着されており、その先端部において漏水受けプレート６２の脱衣室Ｂ側上面と密接するようになっている。この場合、水返し部材８２は、ほぼ面一に配設した下シール装着部７２の上面、漏水受けプレート６２の上面および下枠見切り片６８の各上面（いずれも脱衣室床６とほぼ面一）に対し、下枠シール部材７３と同じ高さで上方に突出しており、漏水受けプレート６２上に漏水した排水が脱衣室Ｂ側に流出しないように、堰として機能する。なお、水返し部材８２は、足着性を考慮し、下枠シール部材７３と同様にエアータイト材で構成することが好ましい。
【００３５】
一方、漏水受けプレート６２は、上面が脱衣室床６と略面一に配設されると共に上記の下枠シール部材７３から脱衣室Ｂ側に漏れた排水を受けるプレート本体６２ａと、プレート本体６２ａの浴室Ａ側端部から垂下する短垂下片６２ｂと、プレート本体６２ｂの脱衣室Ｂ側端部から垂下する長垂下片６２ｃと、で一体に形成されている。また、プレート本体６２ａには、見付け方向に等間隔に配置した複数個（２〜５個）の排水孔８６が形成されている。漏水受けプレート６２は、下シール装着部７２と水返し装着部８１との間に嵌合するようにして着脱自在に装着されており、装着状態では、短垂下片６２ｂが下シール装着部７２の支持片７２ｂに支持されると共にその側面が下シール装着部７２の背面と密接し、また、長垂下片６２ｂが傾斜部６７に支持されると共にその側面が水返し装着部８１の側面と密接している。
【００３６】
そして、上記の下シール装着部７２、水返し装着部８１および傾斜部６７により囲まれた漏水受けプレート６２の下側空間には、下枠シール部材７３から脱衣室Ｂ側に漏れて漏水受けプレート６２の排水孔８６から流下した排水を、浴室側に導く排水バッファ９１が構成されている。また、この排水バッファ９１は、傾斜部６７を逆流し、上記の切欠部および排水開口７８によりその流速・流量が抑えられながら到達した排水を、一時貯留する機能を有している。
【００３７】
なお、漏水受けプレート６２は、排水バッファ９１内の清掃が容易に行えるよう、着脱自在に装着されているが、短垂下片６２ａと下シール装着部７２との接合部および長垂下片６２ｂと水返し装着部８１との接合部における水密性をより高めるため、両接合部において、乾式シール材等によりシールを為してもよい。
【００３８】
そして、各排水孔８６に下側から臨むように、下枠シール部材７３から漏水受けプレート６２に漏れた排水の排水バッファ９１への流入を許容すると共に、排水バッファ９１に一時的に溜まった排水の漏水受けプレート６２上への流出を阻止する逆流阻止機構９２が設けられている。
【００３９】
逆流阻止機構９２は、排水バッファ９１内に収容したフロート９６と、フロート９６の上面中央に突設した位置ズレ防止ピン９７とを有している。位置ズレ防止ピン９７は、排水孔８６の径よりも小さい径の頭部９７ａと、フロート９６に螺合した軸部９７ｂとから成り、排水バッファ９１内の排水の水位が低い（または排水が無い）ときは、逆流阻止機構９２は、位置ズレ防止ピン９７の頭部９７ａが漏水受けプレート６２の排水孔８６に納まった状態となって、フロート９６を位置規制している。一方、フロート９６は、内部を中空とし下端が開放された釣り鐘状に形成されており、その上面は、浮上時に排水孔８６の下端部（弁座）を塞ぐ弁体として機能している。もっとも、フロート９６の上面に別途ゴム製のシート（弁体）を設けるようにしてもよい。
【００４０】
すなわち、フロート９２は、位置ズレ防止ピン９７が排水孔８６の周壁面に案内されながら、排水バッファ９１内の排水の水位により上下（浮沈）する。したがって、排水バッファ９１内が満水状態のときは、フロート９６が浮上してその上面により排水孔８６が閉塞されるため、排水が漏水受けプレート６２上へ溢れることがなく、排水バッファ内の水位が低いときは、フロート９６が沈降して排水孔８６が開放されるため、漏水受けプレート６２上の排水が排水孔８６から排水バッファ９１へ流下する。これによれば、排水開口７８から排水バッファ９１に逆流した排水が漏水受けプレート６２の排水孔８６から溢れるのを阻止することができると共に、漏水受けプレート６２上の排水を、排水孔８６を介して排水バッファ９１に円滑に流下させることができる。
【００４１】
このように構成された下枠３２は、漏水受けプレート６２、下シール装着部７２、下ガイドレール７１および傾斜部６７の各上面が略面一に配設され、且つこれを挟んで両側に位置する防水パン５および脱衣室床６との間で、段差のほとんど無い床構造となっている。なお、下枠シール部材７３および水返し部材８２は、上向きに突設されているものの樹脂等の弾性材で構成されているため、人がつまずいて転ぶようなことは元より、足裏に違和感や痛みを感ずることもない。
【００４２】
一方、上述したように、傾斜部６７の上面は防水パン５に向かってわずかに傾斜しており、下シール装着部７２および下ガイドレール７１はそれぞれ見付け方向両端部においてその一部が切り欠かれ或いは開口されているため、傾斜部６７の上面（の見付け方向両端部）は、漏水受けプレート６２の排水孔８６から流下した排水を防水パン５に導く排水流路となっている。すなわち、漏水受けプレート６２に流下した排水は、下シール装着部７２の排水開口７８および下ガイドレール７１の切欠部を通って傾斜部６７の上面を流下し、防水パン５に導かれる。
【００４３】
ここで、実施形態の止水構造の機能について説明する。浴室の排水は、浴室に設けられた図外の排水トラップで呑みきれない場合に、洗い場から下枠３２に流れるが、まず、下ガイドレール７１に密接する下向きシール部材５６（１次止水ライン）により止水され、この下向きシール部材５６を越えて脱衣室Ｂ側に侵入する排水は、下框１２の突出片５７に密接する下枠シール部材７３（２次止水ライン）により止水される。さらに、下枠シール部材７３を越えて脱衣室Ｂ側に排水が侵入したとしても、その排水は漏水受けプレート６２上に流れ、その排水孔８６から排水バッファ９１に流下する。排水バッファ９１に流下した排水は、浴室Ａ側にわずかに傾斜した傾斜部６７の上面を防水パン５に向かって流れる。そして、下枠シール部材７３から漏れた排水の量が、排水孔８６から排水バッファ９１に流下する排水の量よりも一時的に増えたとしても、水返し部材８２により排水が堰き止められ脱衣室Ｂ側に漏れることがない。
【００４４】
また、下シール装着部７２の排水開口７８から逆流した排水は、排水バッファ９１に一時貯留され、漏水受けプレート６２で押えられるため、排水が漏水受けプレート６２の排水孔８６から溢れるのを抑制することができ、脱衣室Ｂ側へ漏れることがない。さらに、排水バッファ９１に一時的に溜まった排水が満水状態となり、排水孔８６や漏水受けプレート６２と下シール装着部７２または水返し装着部８１との接合部から漏れることがあっても、水返し部材８２により脱衣室床６への漏水が阻止される。そして、排水バッファ９１から溢れて漏水受けプレート６２上に溜まった排水も、浴室の排水が排水トラップから排水されて時間の経過と共に減水していくにつれ排水バッファ９１内の水位が減少するため、時間の経過と共に排水孔８６から浴室に導かれる。
一方、このように漏水受けプレート６２および排水バッファ９１を設けたことで、浴室Ａ側の減水状態が開始されるまでのタイムラグをかせぐことができるため、下向きシール部材５６を越えて脱衣室Ｂ側に侵入する排水による下枠シール部材７３（２次止水ライン）に対する水圧を逃がすことができ、排水が下枠シール部材７３を越えて脱衣室Ｂ側に漏れにくくなっている。
【００４５】
したがって、本実施形態の浴室建具の止水構造によれば、下枠シール部材７３により構成される２次止水ラインから脱衣室Ｂ側に漏れた排水を、浴室Ａ側に円滑に導くことができると共に、これを逆流する浴室Ａの排水の脱衣室床６への流出を有効に防止することができる。
【００４６】
続いて、第１実施形態の変形例について説明する。図９の拡大図に示すように、変形例に係る各扉体３ａ，３ｂの下框１２および折戸枠２の下枠３２廻りの構造は、第１実施形態と同様であるが、下枠本体６１の傾斜部６７と脱衣室床６を押える下枠見切り片６８との間には、傾斜部６７から立ち上がる水返し装着部に代えて、浴室Ａ側に突設した上下逆「Ｌ」字状のプレート嵌合片７７ａを有する立ち上がり部７７が、形成されている。そして、第１実施形態と同様の形態をした漏水受けプレート６２は、下シール装着部７２とプレート嵌合片７７ａとの間に嵌合するようにして、その上面（プレート本体６２ａの上面）が下枠見切り片６８の上面よりわずかに低い位置に着脱自在に装着されている。すなわち、装着状態では、漏水受けプレート６２の短垂下片６２ｂが下シール装着部７２の支持片７２ｂに支持されると共にその側面が下シール装着部７２の背面と密接し、また、長垂下片６２ｂが傾斜部６７に支持されると共にその側面がプレート嵌合片７７ａの側面と密接している。なお、漏水受けプレート６２の上面は、プレート嵌合片７７ａの上面と面一となるか、またはわずかに低い位置に配設されていることが好ましい。
【００４７】
そのため、第１実施形態と異なり、漏水受けプレート６２と脱衣室床６との間に水返し部材８２が装着されていないが、下枠見切り片６８の上面が漏水受けプレート６２の上面よりも高い位置にあるため、漏水受けプレート６２の脱衣室Ｂ側端部上面と下枠見切り片６８の浴室Ａ側端部上面とを高さ方向に結ぶ部位、すなわち立ち上がり部７７においてプレート嵌合片７７ａを突設させた位置よりも高い部位が、下シール部材７３から漏水受けプレート６２に侵入した排水が脱衣室床６へ漏れることを防止する堰きとして機能する。したがって、この変形例においても、下枠シール部材７３により構成される２次止水ラインから脱衣室Ｂ側に漏れた排水を、浴室Ａ側に円滑に導くことができると共に、これを逆流する浴室Ａの排水の脱衣室床６への流出を有効に防止することができる。
【００４８】
次に、本発明に係る浴室建具の止水構造の第２実施形態について説明する。第２実施形態は、第１実施形態と同様に、本発明の浴室建具の止水構造を浴室折戸に適用したものであって、図４の拡大図に示すように、下ガイドレール７１の浴室Ａ側に密接する下向きシール部材５６により１次止水ラインが構成され、下框１２の突出片５７に密接する下枠シール部材７３により２次止水ラインが構成されている。以下、第１実施形態とは異なる部分を中心に説明する。
【００４９】
下枠３２は、脱衣室Ｂ側に段差無く延びる防水パン５の支持部５ａと脱衣室床６との間隙に遊嵌された下枠中空部６６を有する下枠本体６１と、下枠本体６１の浴室Ａ側に着脱自在に載置された下枠アタッチメント６３と、下枠本体６１の脱衣室Ｂ側半部上面に着座し、その上面を脱衣室床６と略面一に配設した漏水受けプレート６２と、で構成されている。
【００５０】
下枠アタッチメント６３は、その脱衣室Ｂ側端部の裏面に設けた一対のアタッチメント係止片６３ａ，６３ａにより、下枠本体６１の浴室Ａ側端部に形成された上向き「Ｃ」字状断面の係止受け片７４と係止すると共に、浴室Ａ側のアタッチメント係止片６３ａおよびその浴室Ａ側に設けたアタッチメント掛止片６３ｂにより、下枠本体６１の係止受け片７４の先端部と掛止して、防水パン５の上面に装着されている。また、下枠アタッチメント６３は、防水パン５に向かってわずかに下り傾斜に形成されており、防水パン５との間で段部が生じないようになっている。
【００５１】
下枠本体６１は、横長の下枠中空部６６と、下枠中空部６６の浴室Ａ側上端部を下枠アタッチメント６３の脱衣室Ｂ側端部位置まで延長したパン載置片６９と、下枠中空部６６の脱衣室Ｂ側端部から脱衣室Ｂ側に屈曲して延びる下枠見切り片６８と、で一体に形成されている。また、下枠中空部６６およびパン載置片６９の上面は、防水パン５に向かってわずかに傾斜するように形成された傾斜部６７を構成している。
【００５２】
パン載置片６９の浴室Ａ側端部には、上述したように、浴室Ａ側に延長した係止受け片７４が形成されていると共に、上方に突設した下ガイドレール７１が形成されている。さらに、パン載置片６９の基部には、漏水受けプレート６２の浴室Ａ側を係止するプレート係止片７５が突設されている。なお、下ガイドレール７１には、見付け方向の両端部において、排水の流下を許容できる最低限の開口面積を有するよう、それらの一部を極わずかに切り欠いた一対の切欠部（図示省略）がそれぞれ形成されている。
【００５３】
一方、下枠見切り片６８の基部に形成された上向き「Ｃ」字状断面の水返し装着溝８１ａには、樹脂等で構成された水返し部材８２が装着されている。この水返し部材８２は、水返し装着溝８１ａに直接装着される装着片８２ａと、装着片８２ａから上方に延びて先端部で二股に形成されると共に、その二股部分で漏水受けプレート６２の脱衣室Ｂ側端部と密接する水返し片８２ｂと、水返し片８２ｂの中間部から背面側（脱衣室Ｂ側）へ分岐して脱衣室床６と密接すると共に、上からの圧力に対し水返し片８２ｂに強度を付与する背面片８２ｃと、で構成されている。この場合、水返し部材８２は、漏水受けプレート６２上に漏水した排水が脱衣室Ｂ側に流出しないように、堰として機能する。
【００５４】
一方、漏水受けプレート６２は、上記のプレート係止片７５に係止すると共にパン載置片６９の上面に支持される先端係止部６２ｄと、先端係止部６２ｄに隣接し、上向き「Ｃ」字状断面の下シール装着溝６２ｅと、上面が脱衣室床６と略面一に配設されると共に下枠シール部材７３から脱衣室Ｂ側に漏れた排水を受け、後述する排水孔８６から排水バッファ９１に流下させるプレート本体６２ａと、プレート本体６２ａの脱衣室Ｂ側端部近傍で傾斜部６７の端部上面に支持される垂下片６２ｆと、で一体に形成されている。
【００５５】
すなわち、漏水受けプレート６２は、プレート係止片７５と水返し装着溝８１ａ（の外側面）との間に嵌合するようにして着脱自在に装着されており、装着状態では、先端係止部６２ｄおよび垂下片６２ｆによって、それぞれプレート係止片７５および水返し装着溝８１ａと係合すると共に、傾斜部６７の上面に支持されている。
【００５６】
先端係止部６２ｄおよび下シール装着溝６２ｅは、パン載置片６９（傾斜部６７）から立ち上がる下シール装着部となっている。下シール装着溝６２ｅには、各扉体３ａ，３ｂの突出片５７に向かって突設された上下逆「Ｊ」字状断面の下枠シール部材７３が装着されており、２次止水ラインを構成している。また、先端係止部６２ｄおよびプレート係止片７５は、見付け方向の両端部において、その一部を極わずかに切り欠いた一対の排水開口（図示省略）が形成されている。
【００５７】
そして、上記の先端係止部６２ｄ、水返し装着溝８１ａおよび下枠中空部６６の上面（傾斜部６７）により囲まれた漏水受けプレート６２（プレート本体６２ａ）の下側空間には、下枠シール部材７３から脱衣室Ｂ側に漏れて漏水受けプレート６２の排水孔８６から流下した排水を一時貯留する排水バッファ９１が構成されている。
【００５８】
プレート本体６２ａの上面には、見込み方向中間部において、見付け方向に延在する凹溝８７が形成されている（図８参照）。そして、プレート本体６２ａには、この凹溝８７に位置させて、下枠シール部材７３から脱衣室Ｂ側に漏れた排水を排水バッファ９１に流下させる２個の排水孔８６，８６が形成され、２個の排水孔８６，８６には、排水バッファ９１に一時貯留した排水の漏水受けプレート６２上への流出を阻止する２個の逆流阻止機構９２，９２がそれぞれ設けられている。
なお、プレート本体６２ａは、凹溝８７よりも浴室Ａ側が浴室Ａ側に向かって下り傾斜に形成されており、プレート本体６２ａ上の排水が脱衣室Ｂ側へ侵入することを防いでいる。
【００５９】
逆流阻止機構９２は、排水バッファ９１内に収容したフロート９６と、フロート９６の上面中央に突設したガイドピン９８とを有している。ガイドピン９８は、排水孔８６の径よりも大きい径の扁平な頭部９８ａと、フロートに螺合した軸部９８ｂとから成っている。逆流阻止機構９２は、排水バッファ９１内の排水の水位が低いときは、ガイドピン９８の頭部９８ａの下面により漏水受けプレート６２の排水孔８６に吊設された状態となり、排水バッファ９１内が満水状態のときは、フロートが浮上してその上面（弁体）により排水孔８６を閉塞する。したがって、第１実施形態の逆流阻止機構９２と同様に、排水開口から排水バッファ９１に逆流した排水が漏水受けプレート６２の排水孔８６から溢れるのを阻止することができると共に、漏水受けプレート６２上の排水を、凹溝８７および排水孔８６を介して排水バッファ９１に円滑に流下させることができる。
【００６０】
このように、下枠中空部６６、パン載置片６９および下枠アタッチメント６３の各上面により構成される傾斜部６７は、防水パン５に向かってわずかに傾斜しており、また、先端係止部６２ｄおよびプレート係止片７５はそれぞれ見付け方向両端部においてその一部が切り欠かれているため、傾斜部６７（の見付け方向両端部）は、漏水受けプレート６２の排水孔８６から流下した排水を防水パン５に導く排水流路となっている。すなわち、漏水受けプレート６２に流下した排水は、先端係止部６２ｄおよびプレート係止片７５の排水開口および下ガイドレール７１の切欠部を通って傾斜部６７の上面を流下し、防水パン５に導かれる。
【００６１】
したがって、第２実施形態の浴室建具の止水構造によれば、第１実施形態と同様に、下枠シール部材７３により構成される２次止水ラインから脱衣室Ｂ側に漏れた排水を、浴室Ａ側に円滑に導くことができると共に、これを逆流する浴室Ａの排水の脱衣室床６への流出を有効に防止することができる。
【００６２】
次に、本発明に係る浴室建具の止水構造の第３実施形態について説明する。第３実施形態は、第１および第２実施形態とは異なり、本発明に係る浴室建具の止水構造を建具本体としての浴室ドアに適用したものである。図５の拡大図に示すように、この浴室ドア１０１は、バリアフリー設計された浴室と脱衣室との間の出入口に取り付けられており、出入口開口部を構成するドア枠１０２と、ドア枠１０２に開閉自在に支持されたドア本体１０３とで構成されている。そして、ドア本体１０３の下框１２の浴室Ａ側に取り付けられた第１下向きシール部材５６により１次止水ラインが構成され、ドア本体１０３の下框１２の脱衣室Ｂ側に取り付けられた第２下向きシール部材５８により２次止水ラインが構成されている。本実施形態は、このドア枠１０２の下枠３２とドア本体１０３の下框１２との間の止水構造に関するものであり、以下、第１、第２実施形態とは異なる部分を中心に説明する。
【００６３】
第３実施形態の下枠３２は、第２実施形態の下枠３２と略同様の構成であって、脱衣室Ｂ側に延びる防水パン５の支持部５ａと脱衣室床６との間隙に遊嵌された下枠中空部６６を有する下枠本体６１と、下枠本体６１の浴室Ａ側に着脱自在に載置された下枠アタッチメント６３と、下枠本体６１の脱衣室Ｂ側半部上面に着座し、その上面を脱衣室床６と略面一に配設した漏水受けプレート６２と、で構成されている。第１および第２実施形態とは異なり、下ガイドレールは形成されておらず、また、下框１２の浴室Ａ側に取り付けられた第１下向きシール部材５６は、ドア本体の閉塞時に、この下枠アタッチメント６３の上面と密接するように構成されている。
【００６４】
漏水受けプレート６２は、下枠本体６１のパン載置片６９の上面に支持されると共に、パン載置片６９の基部から突設したプレート係止片７５に係止する先端係止部６２ｄと、上面が脱衣室床６と略面一に配設されると共に第２下向きシール部材５８から脱衣室Ｂ側に漏れた排水を受け、排水孔８６から排水バッファ９１に流下させるプレート本体６２ａと、プレート本体６２ａの脱衣室Ｂ側端部付近で下枠見切り片６８の基部上面に支持される垂下片６２ｆと、で一体に形成されており、第２実施形態の漏水受けプレート６２と異なり、先端係止部６２ｄに隣接した上向き「Ｃ」字状断面の下シール装着溝が形成されていない（下枠シール部材は無い）。そして、下框１２の脱衣室Ｂ側に取り付けられた第２下向きシール部材５８は、ドア本体の閉塞時に、プレート係止片７５と先端係止部６２ｄとの係止部において、漏水受けプレート６２の上面に密接するように構成されている。
【００６５】
第２実施形態の下枠３２と同様に、下枠中空部６６、パン載置片６９および下枠アタッチメント６３の各上面により構成される傾斜部６７は、防水パン５に向かってわずかに傾斜しており、先端係止部６２ｄおよびプレート係止片７５はそれぞれ見付け方向両端部においてその一部が切り欠かれているため、傾斜部６７（の見付け方向両端部）は、漏水受けプレート６２の排水孔８６から流下した排水を防水パン５に導く排水流路となっている。すなわち、漏水受けプレート６２に流下した排水は、先端係止部６２ｄおよびプレート係止片７５の一部をそれぞれ切り欠いた一対の排水開口（図示省略）を通って傾斜部６７の上面を流下し、防水パン５に導かれる。
【００６６】
したがって、第３実施形態の浴室建具の止水構造によれば、第１および第２実施形態と同様に、第２下向きシール部材５８により構成される２次止水ラインから脱衣室Ｂ側に漏れた排水を、浴室Ａ側に円滑に導くことができると共に、これを逆流する浴室Ａの排水の脱衣室床６への流出を有効に防止することができる。
なお、漏水受けプレート６２、逆流阻止機構９２および水返し部材８２の機構・構造は、第２実施形態とまったく同一なので、個々では説明を省略する。
【００６７】
次に、本発明に係る浴室建具の止水構造の第４実施形態について説明する。第４実施形態は、第１ないし第３実施形態とは異なり、本発明に係る浴室建具の止水構造を建具本体としての片引戸に適用したものである。図６の拡大図に示すように、この片引戸２０１は、バリアフリー設計された浴室と脱衣室との間の出入口に取り付けられており、出入口開口部を構成する枠体２０２と、枠体２０２に開閉自在に支持された引戸本体２０３とで構成されている。この枠体２０２は、防水パン５の側壁載置部を切り欠いた部分に設けられている。そして、引戸本体２０３の下框１２の浴室Ａ側に摺接する第１下枠シール部材８０により１次止水ラインが構成され、引戸本体２０３の下框１２の脱衣室Ｂ側に摺接する第２下枠シール部材７３により２次止水ラインが構成されている。本実施形態は、この枠体２０２の下枠３２と引戸本体２０３の下框１２との間の止水構造に関するものであって、以下、第１ないし第３実施形態とは異なる部分を中心に説明する。
【００６８】
第４実施形態の下枠３２は、下方に延びる防水パン５のリブ片５ｂにねじ止めされた縦長の載置部７上に浴室Ａ側端部が載置された下枠本体６１と、下枠本体６１の浴室Ａ側上面に着脱自在に載置された下枠アタッチメント６３と、下枠本体６１の脱衣室Ｂ側上面に着座し、その上面を脱衣室床６と略面一に配設した漏水受けプレート６２と、で構成されている。
【００６９】
下枠アタッチメント６３は、脱衣室Ｂ側端部の裏面に設けたアタッチメント係止溝６３ｃにより、下枠本体６１の見込み方向中間部から突設した第１下シール装着部７９と係止すると共に、浴室Ａ側裏面に設けたアタッチメント係止片６３ａにより、下枠本体の浴室Ａ側上面に固定された左右逆「Ｌ」字状断面の係止受け片６４と係止して、下枠本体６１の上面に装着されている。この下枠アタッチメント６３は、第２および第３実施形態と同様に、防水パン５に向かってわずかに下り傾斜に形成されており、防水パン５との間で段部が生じないようになっている。
【００７０】
下枠本体６１は、上面が防水パン５（浴室床）および脱衣室床６とほぼ面一に配設されると共に、防水パン５の浴室床に向かってわずかに下り傾斜となるように形成された傾斜部６７と、上記の載置部７に載置された断面方形の方形中空部６６ａと、方形中空部６６ａの脱衣室Ｂ側に位置し、横長形状をした一対の横長中空部６６ｂ，６６ｂと、傾斜部６７の脱衣室Ｂ側端部から脱衣室床６まで屈曲して延びる下枠見切り片６８と、で一体に形成されている。浴室Ａ側の横長中空部６６ｂの浴室Ａ側端部も載置部７に載置されており、防水パン５のリブ片５ｂの側面と方形中空部６６ａの側面との間と、載置部７の上面と方形中空部６６ａの底面および浴室Ａ側の横長中空部６６ｂの浴室Ａ側端部底面との間とには、コーキング材等によりシールが為されている。
【００７１】
脱衣室Ｂ側の横長中空部６６ｂの上面（傾斜部６７）には、引戸本体２０３をスライド自在に支持する下ガイドレール部６５ａを形成したレールアタッチメント６５が、一対の脚部６５ｂ，６５ｂにより傾斜部６７上に支持されると共に、第１下シール装着部７９および第２下シール装着部７２（後述する）間に嵌合するようにして、着脱自在に固定されている。
【００７２】
レールアタッチメント６５の浴室Ａ側に隣接して、「Ｃ」字状断面のシール係止溝７９ａを有する第１下シール装着部７９が、傾斜部６７から立ち上がるように形成されている。この第１下シール装着部７９には、引戸本体の下端の浴室Ａ側に向かって突設された第１下枠シール部材８０が装着されており、この第１下枠シール部材８０が引戸本体の下端の浴室Ａ側に摺接して、１次止水ラインを構成している。
【００７３】
さらに、第１下シール装着部７９の背面には、浴室Ａ側に下枠アタッチメント６３のアタッチメント係止溝６３ｃと係止する係止片７９ｂが突出していると共に、その基部には、見付け方向の両端部において切欠部（図示省略）が形成されている。この切欠部は、排水バッファ９１からの排水を浴室Ａ側へ導く部位であって、第１下シール装着部７９の一部を極わずかに切り欠いて形成されている。
【００７４】
また、レールアタッチメント６５の脱衣室Ｂ側に隣接して、下枠見切り片６８の基部において、上向き「Ｃ」字状断面のシール装着溝７２ａを有する第２下シール装着部７２が、傾斜部６７から立ち上がるように形成されている。この第２下シール装着部７２には、引戸本体の下端の浴室Ａ側に向かって突設された第２下枠シール部材７３が装着されている。第２下枠シール部材７３は、第２および第３実施形態の水返し部材８２と見込み方向において逆向きではあるが同様の形態をしており、その背面片に相当する部位において、引戸本体の下端の脱衣室Ｂ側に摺接して、２次止水ラインを構成している。さらに、第２下シール装着部７２は、第１下シール装着部７９と同様に、見付け方向の両端部においてその一部を極わずかに切り欠いて形成された一対の排水開口７８が形成されている。
【００７５】
一方、漏水受けプレート６２は、図８に示すように、上面が脱衣室床６と略面一に配設されると共に上記の第２下枠シール部材７３から脱衣室Ｂ側に漏れた排水を受けるプレート本体６２ａと、プレート本体６２ａの見込み方向両端部の手前からそれぞれ垂下する一対の嵌合片６２ｇ，６２ｇと、で一体に形成されている。そして、漏水受けプレート６２は、第２下シール装着部７２と傾斜部６７の脱衣室Ｂ側端部から立ち上がる水返し装着部８１との間に嵌合するようにして着脱自在に着座している。なお、水返し装着部８１の上向き「Ｃ」字状断面の水返し装着溝８１ａには、第２および第３実施形態の水返し部材８２と同様の形態を有する水返し部材８２が装着されている。
【００７６】
プレート本体６２ａの上面には、第２および第３実施形態と同様に、見込み方向中間部において、見付け方向に延在する凹溝８７が形成されている。そして、プレート本体６２ａには、この凹溝８７に位置させて、第２下枠シール部材７３から脱衣室Ｂ側に漏れた排水を排水バッファ９１に流下させる２個の排水孔８６，８６が形成され、２個の排水孔８６，８６には、排水バッファ９１に一時貯留した排水の漏水受けプレート６２上への流出を阻止する２個の逆流阻止機構９２，９２が設けられている。
なお、プレート本体６２ａは、第２および第３実施形態と異なり、見込み方向の中間部が低い反った形状をしているため、その上面が見込み方向両端部から中間部の凹溝８７に向かって下り傾斜に形成されており、プレート本体６２ａ上の排水が凹溝８７に集水される構成となっている。なお、排水孔８６の数は、３〜５個であってもよい。
【００７７】
このように、傾斜部は防水パン５に向かってわずかに傾斜しており、第２下シール装着部７２および第１下シール装着部７９は、それぞれ見付け方向両端部においてその一部が切り欠かれているため、傾斜部６７（の見付け方向両端部）は、漏水受けプレート６２の排水孔８６から流下した排水を防水パン５に導く排水流路となっている。すなわち、漏水受けプレート６２に流下した排水は、第２下シール装着部７２の排水開口７８と、第１下シール装着部７９の切欠部とを通って傾斜部６７の上面を流下し、防水パン５に導かれる。
【００７８】
したがって、第４実施形態の浴室建具の止水構造によれば、第１ないし第３実施形態と同様に、第２下枠シール部材７３により構成される２次止水ラインから脱衣室Ｂ側に漏れた排水を、浴室Ａ側に円滑に導くことができると共に、これを逆流する浴室Ａの排水の脱衣室床６への流出を有効に防止することができる。
【００７９】
次に、本発明に係る浴室建具の止水構造の第５実施形態について説明する。第５実施形態は、第１ないし第４実施形態とは異なり、本発明に係る浴室建具の止水構造を建具本体としての３枚引戸に適用したものである。図７の拡大図に示すように、この３枚引戸３０１は、バリアフリー設計された浴室Ａと脱衣室Ｂとの間の出入口に取り付けられており、出入口開口部を構成する枠体３０２と、枠体３０２に開閉自在に支持された３枚の引戸本体３０３（浴室側から第１引戸３０３ａｆ、第２引戸３０３ｂｓ、第３引戸３０３ｃｔ）とで構成されている。そして、第１引戸３０３ａｆの脱衣室Ｂ側、第２引戸３０３ｂｓの浴室Ａ側および脱衣室Ｂ側、第３引戸３０３ｃｔの浴室Ａ側にそれぞれ取り付けられた下向きシール部材５６により１次止水ラインが構成され、第３引戸３０３ｃｔの下框１２の脱衣室Ｂ側に摺接する下枠シール部材７３により２次止水ラインが構成されている。本実施形態は、この枠体３０２の下枠３２と３枚の引戸本体３０３の下框１２との間の止水構造に関するものであり、以下、第１ないし第４実施形態とは異なる部分を中心に説明する。
【００８０】
第５実施形態の下枠３２は、第４実施形態の下枠３２と略同様の構成であって、下方に延びる防水パン５のリブ片５ｂにねじ止めされた縦長の載置部７上に浴室Ａ側端部が載置された下枠本体６１と、下枠本体６１の脱衣室Ｂ側上面に着座し、その上面を脱衣室床６と略面一に配設した漏水受けプレート６２と、で構成されている。さらに、第４実施形態の下枠アタッチメントに代えて、第２・第３引戸３０３ｂ，３０３ｃを直接支持すると共にその開閉を案内するレールアタッチメント６５を備えており、また、下枠本体６１の浴室Ａ側上面には、第１引戸３０３ａを直接支持すると共にその開閉を案内する下ガイドレール部６５ａが形成されている。
【００８１】
レールアタッチメント６５は、上面が防水パン５の浴室床に向かって下り傾斜となるように形成されたベースプレート部６５ｃと、ベースプレート部６５ｃの上面に交互に立設した２つのシール取付部６５ｄ（浴室Ａ側から第１シール取付部６５ｄａｄ、第２シール取付部６５ｄｂｄ）および２本の下ガイドレール部６５ａ，６５ａと、ベースプレート部６５ｃの脱衣室Ｂ側裏面から垂下する脚部６５ｂと、で一体に形成されている。そして、第１シール取付部６５ｄａｄには、第１引戸本体３０３の下框１２下端部の脱衣室Ｂ側に接触する第１脱衣室側シール部材５６ａｂおよび第２引戸本体３０３の下框１２下端部の浴室Ａ側に接触する第１浴室側シール部材５６ａａが、第２シール取付部６５ｄｂｄには、第２引戸本体３０３の下框１２下端部の脱衣室Ｂ側に接触する第２脱衣室側シール部材５６ｂｂおよび第２引戸本体３０３の下框１２下端部の浴室Ａ側に接触する第２浴室側シール部材５６ｂａが、それぞれ下向きに取り付けられており、これらの下向きシール部材５６により、１次止水ラインが構成されている。
【００８２】
さらに、レールアタッチメント６５の脱衣室Ｂ側には、「Ｃ」字状断面のシール装着溝７２ａａを有する下シール装着部７２が、傾斜部６７から立ち上がるように形成されている。この下シール装着部７２には、引戸本体の下端の浴室Ａ側に向かって突設された第４実施形態の第２下枠シール部材と同様の下枠シール部材７３が装着されており、この下枠シール部材７３が引戸本体の下端の浴室Ａ側に摺接して、２次止水ラインを構成している。そして、下シール装着部７２の基部には、見付け方向の両端部において、その一部が極わずかに切り欠かれた一対の排水開口７８が形成されている。なお、漏水受けプレート６２廻りの構造は第４実施形態と同様であるため、ここでは説明を省略する。
【００８３】
このように、傾斜部は防水パン５に向かってわずかに傾斜しており、下シール装着部７２は、見付け方向両端部においてその一部が切り欠かれているため、傾斜部６７（の見付け方向両端部）は、漏水受けプレート６２の排水孔８６から流下した排水を防水パン５に導く排水流路となっている。すなわち、漏水受けプレート６２に流下した排水は、下シール装着部７２の排水開口７８を通って傾斜部６７の上面を流下し、防水パン５に導かれる。
【００８４】
したがって、第５実施形態の浴室建具の止水構造によれば、第１ないし第４実施形態と同様に、下枠シール部材７３により構成される２次止水ラインから脱衣室Ｂ側に漏れた排水を、浴室Ａ側に円滑に導くことができると共に、これを逆流する浴室Ａの排水の脱衣室床６への流出を有効に防止することができる。
【図面の簡単な説明】
【００８５】
【図１】本発明の第１実施形態に係る浴室折戸の縦断面図である。
【図２】第１実施形態に係る浴室折戸の横断面図である。
【図３】第１実施形態に係る浴室折戸の下部を表した拡大縦断面図である。
【図４】第２実施形態に係る浴室折戸の下部を表した拡大縦断面図である。
【図５】第３実施形態に係る浴室ドアの下部を表した拡大縦断面図である。
【図６】第４実施形態に係る片引戸の下部を表した拡大縦断面図である。
【図７】第５実施形態に係る３枚折戸の下部を表した拡大縦断面図である。
【図８】（ａ）は第４実施形態および第５実施形態に係る漏水受けプレートを上面側から見た斜視図であり、（ｂ）は下面側から見た斜視図である。
【図９】第１実施形態の変形例に係る浴室折戸の下部を表した拡大縦断面図である。
【符号の説明】
【００８６】
１…浴室折戸  ２…折戸枠  ３…扉体  ５…防水パン  ６…脱衣室床  １２…下框  ３２…下枠  ５６…下向きシール部材  ５７…突出片  ６２…漏水受けプレート  ６７…傾斜部  ６８…下枠見切り片  ７２…下シール装着部  ７３…下枠シール部材  ７３ｃ…逆流阻止片  ７８…排水開口  ８１…水返し装着部  ８２…水返し部材  ８６…排水孔  ９２…逆流阻止機構  ９６…フロート  ９７…位置ズレ防止ピン  Ａ…浴室  Ｂ…脱衣室
【図１】
2005207079.tif 000003
【図２】
2005207079.tif 000004
【図３】
2005207079.tif 000005
【図４】
2005207079.tif 000006
【図５】
2005207079.tif 000007
【図６】
2005207079.tif 000008
【図７】
2005207079.tif 000009
【図８】
2005207079.tif 000010
【図９】
2005207079.tif 000011